(57)【要約】【課題】ロータ回転時の遠心力にかかわらず、永久磁石の磁石収容空間からの飛び出しを抑制することが可能な構造を有する回転電機のロータを提供する。【解決手段】永久磁石５が収容される磁石収容空間６と、磁極面延在方向に沿ったコア径方向外側である磁極面延在方向外側の端部に磁石収容空間と連続して形成された磁石外側端空隙６１とが備えられ、磁石収容空間は永久磁石におけるコア径方向外側を向く磁極面である外側磁極面に平行な外側磁極平行壁面５３を備え、磁石外側端空隙は外側磁極平行壁面から連続して延びる空隙外側壁面６３を備えると共に、磁石外側端空隙と磁石収容空間との境界部に、磁極面延在方向に直交する方向で外側磁極面よりも内側磁極面側へ突出する磁石押え突部９を備えている。【選択図】図３
2012080608.tif 000002
【特許請求の範囲】
【請求項１】
円筒状のコア外周面を有するロータコアと、当該ロータコアの内部に埋め込まれる複数の永久磁石と、を備えるインナーロータ型の回転電機のロータであって、
前記永久磁石は、コア周方向に対して傾斜して交差する方向に設定された磁極面延在方向に磁極面が沿うように配置され、
前記ロータコアは、前記永久磁石が収容される磁石収容空間と、当該磁石収容空間における前記磁極面延在方向に沿ったコア径方向外側である磁極面延在方向外側の端部に、当該磁石収容空間と連続して形成された磁石外側端空隙と、を備え、
前記磁石収容空間は、前記永久磁石におけるコア径方向外側を向く磁極面である外側磁極面に平行な外側磁極平行壁面を備え、
前記永久磁石は、前記外側磁極面とは反対側に内側磁極面を備え、
前記磁石外側端空隙は、前記外側磁極平行壁面から連続して延びる空隙外側壁面を備えると共に、当該空隙外側壁面における前記磁石外側端空隙と前記磁石収容空間との境界部に、前記磁極面延在方向に直交する方向で前記外側磁極面よりも前記内側磁極面側へ突出する磁石押え突部を備えている回転電機のロータ。
【請求項２】
前記磁石収容空間は、前記内側磁極面に平行な内側磁極平行壁面を備え、
前記磁石外側端空隙は、前記内側磁極平行壁面から連続して延びる空隙内側壁面を備え、
前記空隙内側壁面は、前記磁石外側端空隙と前記磁石収容空間との境界部に、前記磁極面延在方向に直交する方向で前記内側磁極面よりも前記外側磁極面側へ突出する突部を備えない平坦面とされている請求項１に記載の回転電機のロータ。
【請求項３】
コア周方向に隣接する２つの前記永久磁石の一方に接する前記磁石外側端空隙と他方に接する前記磁石外側端空隙とが一体的に形成されている請求項１又は２に記載の回転電機のロータ。
【発明の詳細な説明】
【技術分野】
【０００１】
本発明は、円筒状のコア外周面を有するロータコアと、当該ロータコアの内部に埋め込まれる複数の永久磁石とを備えるインナーロータ型の回転電機のロータに関する。
【背景技術】
【０００２】
ロータ内部に永久磁石を埋め込んだ埋込磁石同期モータ（ＩＰＭＳＭ）のトルクは、マグネットトルクとリラクタンストルクとを足し合わせたものとなり、リラクタンストルクはｑ軸インダクタンスとｄ軸インダクタンスとの差に比例し、マグネットトルクは埋設永久磁石によるステータ鎖交磁束に比例することが知られている。なお、ここで、ｄ軸とはロータ磁極の方向に設定された軸であり、通常、Ｎ極の向きに設定される。また、ｑ軸とは、ｄ軸に対して電気角で９０°進んだ方向に設定された軸であり、この種のロータでは隣接する２つのロータ磁極間、すなわちロータのＮ極とＳ極との間を通るように設定された軸である。従って、本明細書では、「ｄ軸」と「ロータ磁極中心」とは同義として使用し、「ｑ軸」と「ロータ磁極間」の中心とは同義として使用している。
【０００３】
ロータ磁極間（ｑ軸）の両側でコア周方向に隣接する２つの前記永久磁石がコア径方向内側へ向うに従って互いの間隔が広くなるV字状に沿って永久磁石を埋め込んだ埋込磁石同期モータが特許文献１から知られている。このロータでは、複数の磁石収容空間が回転軸の周りに環状に配置され、各磁石収容空間には２つの永久磁石が挿入され、当該永久磁石の外周面側部分がロータコアの磁極となるように構成されている。また永久磁石の漏れ磁束を低減させるために、磁石収容空間の周方向の端部には磁石端空隙が形成されている。その際、磁石収容空間と磁石端空隙とが連続した構造となっていることから、磁石収容空間に挿入された永久磁石が磁石端空隙の方に移動しないように、磁石収容空間と磁石端空隙との境界におけるコア径方向内側部位に磁石端空隙に突き出した突起部が形成されている。
【０００４】
この種の埋込磁石同期モータでは、永久磁石はロータの外周面近傍に配置されることから、磁石収容空間と磁石端空隙とによって境界付けられている、ロータコアにおける永久磁石よりコア径方向外側の部分であるコア外周セグメントは、実質的に磁石端空隙周辺の幅狭のブリッジによって連結されているだけとなる。このため、ロータ回転時の遠心力に対するコア外周セグメント及び永久磁石の径方向の支持は、磁石端空隙周辺のブリッジのみにより行われることになり、高い支持剛性を得ることができない。従って、ロータが高速回転するような適用例では、その遠心力によりブリッジが変形して永久磁石及びコア外周セグメントがコア径方向外周側に移動した結果、永久磁石の端部が突起部を乗り越え、磁石収容空間から飛び出してしまう可能性がある。さらに、このような問題は、コア周方向に隣接する２つの永久磁石のコア径方向外周側に接する磁石端空隙がつながっている場合、つまりｑ軸に沿ってコア径方向に沿って延びた磁極間ブリッジが形成されていない場合、コア外周セグメントの支持剛性がさらに弱くなるので、さらに深刻となる。
【先行技術文献】
【特許文献】
【０００５】
【特許文献１】特開２００９−２７３２５８号公報（段落番号００２３−００３２、図１）
【発明の概要】
【発明が解決しようとする課題】
【０００６】
上記実情に鑑み、ロータ回転時の遠心力にかかわらず、永久磁石の磁石収容空間からの飛び出しを抑制することが可能な構造を有する回転電機のロータが要望されている。
【課題を解決するための手段】
【０００７】
本発明に係る、円筒状のコア外周面を有するロータコアと、当該ロータコアの内部に埋め込まれる複数の永久磁石と、を備えるインナーロータ型の回転電機のロータの特徴構成は、前記永久磁石は、コア周方向に対して傾斜して交差する方向に設定された磁極面延在方向に磁極面が沿うように配置され、前記ロータコアは、前記永久磁石が収容される磁石収容空間と、当該磁石収容空間における前記磁極面延在方向に沿ったコア径方向外側である磁極面延在方向外側の端部に、当該磁石収容空間と連続して形成された磁石外側端空隙とを備え、前記磁石収容空間は、前記永久磁石におけるコア径方向外側を向く磁極面である外側磁極面に平行な外側磁極平行壁面を備え、前記永久磁石は、前記外側磁極面とは反対側に内側磁極面を備え、前記磁石外側端空隙は、前記外側磁極平行壁面から連続して延びる空隙外側壁面を備えると共に、当該空隙外側壁面における前記磁石外側端空隙と前記磁石収容空間との境界部に、前記磁極面延在方向に直交する方向で前記外側磁極面よりも前記内側磁極面側へ突出する磁石押え突部を備えている点にある。
【０００８】
なお、本願において「回転電機」は、モータ（電動機）、ジェネレータ（発電機）、及び必要に応じてモータ及びジェネレータの双方の機能を果たすモータ・ジェネレータのいずれをも含む概念として用いている。また、本願において「コア径方向」とはロータコアの径方向のことであり、「コア周方向」とはロータコアの周方向のことでである。
【０００９】
この特徴構成によれば、磁石収容空間に収容された永久磁石は、その外側磁極面の磁極面延在方向外側の端部が磁石収容空間の外側磁極平行壁と磁石外側端空隙の磁石押え突部とによって保持される。そして、永久磁石と、ロータコアにおける永久磁石よりコア径方向外側の部分であるコア外周セグメントとが、ロータの回転によって生じる遠心力によりコア径方向外側に変形或いは変位した場合にも、磁石押え突部がコア外周セグメントと同様にコア径方向外側に変位する。その結果、ロータ回転時の遠心力によっても外側磁極平行壁と磁石押え突部とによる永久磁石の保持機能が実質的に変化せず、永久磁石が磁石収容空間から飛び出すことが抑制される。さらに、そのような永久磁石の保持効果はロータコアの回転が高速化して遠心力が大きくなっても、実質的には低減しない。
【００１０】
ここで、前記磁石収容空間は、前記内側磁極面に平行な内側磁極平行壁面を備え、前記磁石外側端空隙は、前記内側磁極平行壁面から連続して延びる空隙内側壁面を備え、前記空隙内側壁面は、前記磁石外側端空隙と前記磁石収容空間との境界部に、前記磁極面延在方向に直交する方向で前記内側磁極面よりも前記外側磁極面側へ突出する突部を備えない平坦面とされていると好適である。
この構成によれば、磁石収容空間と磁石外側端空隙の境界部において、空隙外側壁面から突出している磁石押え突部に対向する側の空隙内側壁面が平坦面として形成され、外側磁極面側へ突出する突部が存在しない。従って、磁石外側端空隙における磁石収容空間との境界部において磁極面延在方向に直交する方向に向き合う空隙外側壁面と空隙内側壁面との間隔は、磁石押え突部だけによって狭められるだけとなる。従って、磁石外側端空隙が磁束バリアとして機能するために必要な空隙外側壁面と空隙内側壁面との間隔を確保することが容易となる。
【００１１】
また、上記のような本願発明の各構成は、コア周方向に隣接する２つの前記永久磁石の一方に接する前記磁石外側端空隙と他方に接する前記磁石外側端空隙とが一体的に形成されている場合に特に有効である。
この構成によれば、コア周方向に隣接する磁石外側端空隙同士の間に、いわゆるｑ軸ブリッジが形成されないので、ステータからのｑ軸磁束に対する磁気抵抗を高めることができる。その結果、ロータにおいて発生する磁石渦電流損を低減できる効果をもたらす。このようにｑ軸ブリッジを排除した構造は、磁石収容空間と磁石外側端空隙とによって境界付けられている前記コア外周セグメントの支持剛性を確保することが難しく、ロータ回転時の遠心力により変形或いは変位しやすくなる。その結果、遠心力により外側磁極平行壁と磁石押え突部とがコア径方向外側に変形或いは変位しやすくなるが、上述したような外側磁極平行壁と磁石押え突部とによる永久磁石の保持機能により永久磁石が磁石収容空間から飛び出すことが抑制される。
【図面の簡単な説明】
【００１２】
【図１】本発明の実施形態に係るロータを構成要素とする回転電機１の一部を示すの軸方向分断面図である。
【図２】本発明の実施形態に係る回転電機のロータとステータとを示す径方向断面図である。
【図３】磁石収容空間の一部と磁石端空隙とを示す図２の拡大図で、（ａ）は永久磁石が磁石収容空間に収容された状態を示し、（ｂ）は永久磁石が磁石収容空間に収容されていない状態を示す。
【図４】本発明の別実施形態における図２に対応する径方向断面図である。
【図５】本発明の別実施形態における図３に対応する拡大図である
【図６】本発明のさらに別な実施形態における磁石収容空間の一部と磁石端空隙とを示す拡大図である。
【発明を実施するための形態】
【００１３】
本発明の実施形態に係る回転電機のロータについて図面を用いて説明する。図１は回転電機１の一部を示す軸方向分断面図である。図２は回転電機１のロータ３とステータ２とを示す径方向断面図である。この回転電機１のロータはインナーロータ型であり、円筒状のコア外周面を有するロータコア４と、当該ロータコア４の内部に埋め込まれる複数の永久磁石５とを備えている。以下、さらに詳しく説明する。
図１に示すように、この回転電機１は回転軸心Ｘを有する、埋込磁石構造の同期電動機（ＩＰＭＳＭ）として構成されている。回転電機１はインナーロータ型であり、ケース本体１０と当該ケース本体１０の開口部を覆うカバー１１とで形成される空間内に、ステータ２とロータ３とが収納され、ステータ２はケース本体１０に固定されている。ロータ３は、略円筒状のロータコア４と、このロータコア４の軸方向両端側に取り付けられるエンドプレート３１と、ロータ軸３０とを備えている。ロータ軸３０は一方をケース本体１０に、他方をカバー１１に、回転軸心Ｘ周りで回転可能に支持されている。ロータ軸３０は、ロータコア４及びエンドプレート３１をフランジと締結ボルト３２を用いて固定し、ロータコア４及びエンドプレート３１と一体回転する。ロータコア４は、薄板電磁鋼板などから打ち抜き加工等によって略円環板状に成形されたコア形成用打抜プレート（以下単にロータプレートと略称する）４０を多数枚軸方向に積層することにより略円筒形状に構成されたものである。
以下、特に断らない限り、「コア軸方向」、「コア径方向」、「コア周方向」というときは、ロータコア４の回転軸心Ｘについての「軸方向」、「径方向」、「周方向」を指すものとする。
【００１４】
ステータ２は、図２から理解できるように、ステータコア２０とステータコイル２５とを有している。ステータコア２０は、内周面側に周方向に一定間隔で複数のティース２１を形成しており、そのティース２１の間に溝状のスロット２２を作り出している。ステータコイル２５は、これら複数のスロット２２内に巻装される。本実施形態では、ステータコア２０は、複数枚の電磁鋼板を積層して構成されており、略円筒状に形成されている。
【００１５】
ロータ３には、図２において断面形状が示されているだけであるが、同じ形状寸法を有する第１の永久磁石５１と第２の永久磁石５２とが対となって１つのロータ磁極を構成しており、それが円周方向に所定ピッチで埋め込まれている。ここで、第１の永久磁石５１及び第２の永久磁石５２のそれぞれは、コア周方向に対して傾斜して交差する方向に設定された磁極面延在方向Ｙに磁極面が沿うように配置されている。なお、コア周方向に対して傾斜して交差する方向とは、コア周方向に平行な方向及びコア径方向の双方に交差する全ての方向を含む。具体的には、コア周方向に平行な方向を基準の０°方向、コア径方向をコア周方向に対して９０°の方向とした場合において、コア周方向に対して０°より大きく９０°より小さい角度をなす方向が、コア周方向に対して傾斜して交差する方向に含まれる。本実施形態では、各ロータ磁極を構成する第１の永久磁石５１と第２の永久磁石５２との対はｄ軸Ｄを挟んで径方向外側へ向かうに従って互いの間隔が広くなるＶ字状を形成するように配置されている。言い換えると、１つのロータ磁極を構成する第１の永久磁石５１の径方向外側の端部と、このロータ磁極に隣接する他のロータ磁極を構成する第２の永久磁石５２の径方向外側の端部とがｑ軸を挟んで近接しているとともに、これらの第１の永久磁石５１と第２の永久磁石５２とがロータコア４の径方向内側へ向うに従って互いの間隔が広くなるV字状に沿って配置されている。本例では、図２から明らかなように、ｄ軸Ｄを挟んで配置される各ロータ磁極を構成する第１の永久磁石５１と第２の永久磁石５２との対がなす角度は、ｑ軸Ｑを挟んで配置される第１の永久磁石５１と第２の永久磁石５２とがなす角度より大きくなっている。
なお、以下では、一つのロータ磁極を構成する第１の永久磁石５１と第２の永久磁石５２との対を磁極磁石対と呼称する。なお、特に区別する必要がない場合には、第１の永久磁石５１と第２の永久磁石５２のそれぞれを単に永久磁石５と呼ぶこともある。
【００１６】
ロータコア４の外周部をロータ磁極として機能させるために、各ロータ磁極を構成する２つの永久磁石５の磁極面は、互いに同じ磁極（Ｎ極又はＳ極）を径方向外側に向けて配置されている。すなわち、各ロータ磁極を構成する、第１の永久磁石５１と第２の永久磁石５２とが同じ極性の磁極面をステータ２に向けて配置されている。第１の永久磁石５１と第２の永久磁石５２とからなる磁極磁石対は、ステータ２の方を向いた磁極面が周方向に沿って順次極性を変えるように（Ｎ極・Ｓ極・Ｎ極・・・）配設されている。従って、
１つのロータ磁極を構成する磁極磁石対とこれに隣接するロータ磁極を構成する磁極磁性対の間であるロータ磁極間の中央を径方向に向かって延びる線に沿ってｑ軸Ｑが定義される。また、各ロータ磁極を構成する磁極磁石対の中央（各ロータ磁極を構成する第１の永久磁石５１と第２の永久磁石５２との間の中央）を径方向に向かって延びる線に沿ってｄ軸Ｄ、すなわちロータ磁極中心が定義される。
【００１７】
ロータコア４は、その径方向中心部に、ロータ軸３０を貫通させる中心孔４１と、前記中心孔４１と永久磁石５との間の領域に締結ボルト３２を貫通させるために周方向に分布した複数の貫通孔４２とを有している。永久磁石５を上述したような配置パターンでロータコア４に埋め込むために、径方向外側部分に磁石収容空間６が形成されている。磁石収容空間６には、永久磁石５（正確には第１の永久磁石５１と第２の永久磁石５２）が実質的にぴったりと挿入されるので、永久磁石５に配置に関して上述したことが全て、磁石収容空間６に対しても当て嵌まる。従って、磁石収容空間６も永久磁石５と同様に、周方向に沿って繰り返されるＶ字状パターンで配置されている。
【００１８】
図３は磁石収容空間６の一部と磁石端空隙６０とを示す拡大図であり、図３の（ａ）は磁石収容空間６に永久磁石５が収容された状態を示しており、図３の（ｂ）は磁石収容空間６に永久磁石５が収容されていない状態を示している。図３から明らかなように、ロータコア４には、磁石収容空間６における磁極面延在方向Ｙに沿ったコア径方向外側である磁極面延在方向外側の端部に、当該磁石収容空間６と連続して形成された磁石外側端空隙６１が形成されている。さらに、図２に示すように、磁石収容空間６における磁極面延在方向Ｙに沿ったコア径方向内側である磁極面延在方向内側の端部に、当該磁石収容空間６と連続して形成された磁石内側端空隙６２が形成されている。この磁石外側端空隙６１と磁石内側端空隙６２とは単に磁石端空隙６０と総称される。つまり、磁石端空隙６０は、磁石収容空間６に収容された永久磁石５の延在方向の端部から少なくともコア周方向に、ここでは永久磁石５の延在方向（長手方向）でもある磁極面延在方向Ｙに沿って、磁石収容空間６から連続して形成されている。
また、図３に示すように、永久磁石５は、コア径方向外側を向く磁極面である外側磁極面５３と、当該外側磁極面５３とは反対側の内側磁極面５４を備えている。この外側磁極面５３と内側磁極面５４に対応すべく、磁石収容空間６には、外側磁極面５３に平行な外側磁極平行壁面６ａと、内側磁極面５４に平行な内側磁極平行壁面６ｂとが形成されている。ここでは、外側磁極平行壁面６ａが外側磁極面５３に対してほとんど隙間無く接し、内側磁極平行壁面６ｂが内側磁極面５４に対してほとんど隙間無く接するように形成されている。
【００１９】
磁石外側端空隙６１は、外側磁極平行壁面６ａから連続して延びる空隙外側壁面６３を備えている。そして、この空隙外側壁面６３における磁石外側端空隙６１と磁石収容空間６との境界部に、磁極面延在方向Ｙに直交する方向で外側磁極面５３よりも内側磁極面５４側へ突出する磁石押え突部９が形成されている。本実施形態では、磁石押え突部９は、外側磁極平行壁面６ａから内側磁極平行壁面６ｂへ向って突出する三角形状断面の突出部とされている。この磁石押え突部９は、磁石収容空間６に収容された永久磁石５の磁極面延在方向外側の端面に平行な押え面９ａを備えるように形成されている。この磁石押え突部９は、磁石収容空間６に収容された永久磁石５の磁極面延在方向外側の端面に接触可能に設けられているので、永久磁石５が遠心力等によって磁極面延在方向Ｙに沿ってコア径方向外側へ移動し、磁石収容空間６から離脱することを抑制する。
【００２０】
また、磁石外側端空隙６１は、内側磁極平行壁面６ｂから連続して延びる空隙内側壁面６５を備えている。この空隙内側壁面６５は内側磁極平行壁面６ｂからの移行領域（境界部）が滑らかに形成されている。つまり、空隙内側壁面６５は、磁石外側端空隙６１と磁石収容空間６との境界部に、磁極面延在方向Ｙに直交する方向で内側磁極面５４よりも外側磁極面５３側へ突出する突部を備えない平坦面とされている。空隙外側壁面６３から磁石外側端空隙６１の内部へ突出する磁石押え突部９の存在によって、磁石収容空間６から磁石外側端空隙６１への移行領域（境界部）の断面積はその分縮小する。しかし、空隙内側壁面６５から磁石外側端空隙６１の内部へ突出する突部は存在しないので、このような移行領域（境界部）の断面積の縮小は限定的なものとなる。従って、磁石外側端空隙６１が磁束バリアとして機能するために必要な空間の大きさを確保することができる。
【００２１】
なお本実施形態では、図２に示すように、磁石内側端空隙６２も、基本的に磁石外側端空隙６１と同様の構成を備えている。すなわち、磁石内側端空隙６２は、外側磁極平行壁面６ａから連続して延びる空隙外側壁面を備えている。そして、この空隙外側壁面における磁石内側端空隙６２と磁石収容空間６との境界部に、磁極面延在方向Ｙに直交する方向で外側磁極面５３よりも内側磁極面５４側へ突出する磁石押え突部９１が形成されている。また、磁石外側端空隙６１は、内側磁極平行壁面６ｂから連続して延びる空隙内側壁面を備えている。そして、この空隙内側壁面は、磁石内側端空隙６２と磁石収容空間６との境界部に、磁極面延在方向Ｙに直交する方向で内側磁極面５４よりも外側磁極面５３側へ突出する突部を備えない平坦面とされている。
【００２２】
磁極間ブリッジ８１は、ロータ磁極間でコア周方向に隣接する２つの永久磁石５の間に設けられ、コア外周面からコア径方向内側へ延びている。本願実施形態では、ロータコア４の周方向に隣接する２つの磁石外側端空隙６１の間に、詳しくは、一方の磁石外側端空隙６１の空隙内側壁面６５と他方の磁石外側端空隙６１の空隙内側壁面６５との間にロータコア４の外周面からコア径方向内側へ延びる磁極間ブリッジ８１が形成されている。すなわち、磁極間ブリッジ８１は、ロータコア４の外周面と、ロータコア４における永久磁石５よりもコア径方向内側の領域とをつなぐ橋状に形成されている。
【００２３】
また、ロータ磁極中心（ｄ軸）を挟んでコア周方向に隣接する２つの永久磁石５の間にも、コア径方向に延びるｄ軸ブリッジ８２が設けられている。本願実施形態では、ロータコア４の周方向に隣接する２つの磁石内側端空隙６２の間に、コア外周セグメント８からコア径方向内側へ延びるｄ軸ブリッジ８８が形成されている。すなわち、ｄ軸ブリッジ８２は、コア外周セグメント８内の領域と、ロータコア４における永久磁石５よりもコア径方向内側の領域とをつなぐ橋状に形成されている。
【００２４】
図２から明らかなように、第１の永久磁石５１及び第２の永久磁石５２よりコア径方向外側に位置するロータコア４の外周部分としてコア外周セグメント８が存在する。このコア外周セグメント８は、第１の永久磁石５１及び第２の永久磁石５２のそれぞれのための磁石収容空間６と磁石外側端空隙６１と磁石内側端空隙６２とによって、ロータコア４におけるそれらよりコア径方向内側の部分であるコア中心セグメントと区画された外周側区画部分である。そのため、本実施形態では、コア外周セグメント８は、１つのｄ軸ブリッジ８２と２つのｑ軸ブリッジ８１とによってコア中心セグメントと連結されているだけである。従って、ロータ３が回転することでコア外周セグメント８及び永久磁石５に遠心力が作用すると、ｄ軸ブリッジ８２及びｑ軸ブリッジ８１が変形してコア外周セグメント８及び永久磁石５がコア径方向外周側に変位しようとする。
【００２５】
しかし、上記のとおり、磁石押え突部９は、磁石外側端空隙６１の空隙外側壁面６３に形成されているため、遠心力が作用してコア外周セグメント８及び永久磁石５がコア径方向外周側に変位した場合にも、磁石押え突部９がコア外周セグメント８と一体的にコア径方向外周側に変位する。このため、本実施形態の構成によれば、遠心力が作用してコア外周セグメント８及び永久磁石５がコア径方向外周側に変位した場合にも、磁石押え突部９と永久磁石５との相対位置関係はほとんど変化せず、当該磁石押え突部９による永久磁石５の保持機能は実質的に損なわれない。従って、ロータ３の回転時の遠心力にかかわらず、永久磁石５の磁石収容空間６からの飛び出しを抑制することができる。
【００２６】
〔別実施形態〕、
（１）図４と図５には、別実施形態として、コア周方向に隣接する２つの永久磁石５の一方（第１の永久磁石５１）に接する磁石外側端空隙６１と他方（第２の永久磁石５２）に接する磁石外側端空隙６１とが一体的に形成されているロータ３の具体例が示されている。つまり、この例では、第１の永久磁石５１に対応する磁石外側端空隙６１の空隙外側壁面６３と第２の永久磁石５２に対応する磁石外側端空隙６１の空隙外側壁面６３とが接続され、連続的に移行している。同様に、第１の永久磁石５１に対応する磁石外側端空隙６１の空隙内側壁面６５と第２の永久磁石５２に対応する磁石外側端空隙６１の空隙内側壁面６５とが接続され、連続的に移行している。つまり、先の実施形態に比べて、ｑ軸ブリッジ８１が存在していないので、コア外周セグメント８及び永久磁石５は遠心力によりコア径方向外側に変位し易くなる。しかし、ここでも、磁石押え突部９がコア外周セグメント８と一体的にコア径方向外周側に変位することで、永久磁石５と磁石押え突部９とのの相対位置関係が維持され、当該磁石押え突部９による永久磁石５の保持機能は実質的に損なわれない。
【００２７】
（２）本発明は、上述したような、永久磁石５のＶ字状配置に限定されるわけではない。例えば、図６には、永久磁石５の配置パターンが上述したＶ字状ではなく、下辺付きＶ字状あるいはＣ字状であるものが示されている。この別実施形態でも、磁石外側端空隙６１は、外側磁極平行壁面６ａから連続して延びる空隙外側壁面６３を備えている。そして、この空隙外側壁面６３における磁石外側端空隙６１と磁石収容空間６との境界部に、磁極面延在方向Ｙに直交する方向で外側磁極面５３よりも内側磁極面５４側へ突出する磁石押え突部９が形成されている。
【００２８】
（３）磁石押え突部９の形状は、永久磁石５を押さえ込むことができる形状である限り、本発明では限定されていない。図示した形状以外に改変可能である。例えば、四角形、半円形、楕円形なども使用可能である。
【００２９】
（４）ロータコア４が電磁鋼板の積層でなく、磁性粉体を加圧成形してなる圧粉磁心など、他の材料を用いてロータコア４を構成してもよい。
【００３０】
（５）磁石外側端空隙６１の形状は、上述した形態以外に改変可能である。例えば、台形、ひし形、円形、楕円形などとすることも可能である。
【００３１】
（６）上記の実施形態では、各永久磁石５の磁極面５３、５４が磁極面延在方向Ｙに平行とされている場合を例として説明したが、本発明の実施形態はこれに限定されない。例えば、永久磁石５の磁極面が円弧状などの曲面となるように形成されていてもよい。このような場合にも、永久磁石５の磁極面が全体として見て、磁極面延在方向Ｙに沿うように配置されていればよい。
【００３２】
（７）上記の実施形態では、磁石外側端空隙６１の空隙内側壁面６５が、突部を備えない平坦面とされている場合を例として説明したが、本発明の実施形態はこれに限定されない。例えば、磁石外側端空隙６１の空隙内側壁面６５が、空隙外側壁面６３と同様に、磁石外側端空隙６１と磁石収容空間６との境界部に、磁極面延在方向Ｙに直交する方向で内側磁極面５４よりも外側磁極面５３側へ突出する磁石押え突部が形成されている構成とすることも、本発明の好適な実施形態の一つである。
【産業上の利用可能性】
【００３３】
本発明による回転電機のロータは、電気自動車やハイブリッド自動車などの車両搭載回転電機だけでなく、種々の目的で利用されている回転電機のロータに適用可能である。
【符号の説明】
【００３４】
２：ステータ
３：ロータ
４：ロータコア
４０：ロータプレート
５：永久磁石
５１：第１の永久磁石（永久磁石）
５２：第２の永久磁石（永久磁石）
５３：外側磁極面
５４：内側磁極面
６：磁石収容空間
６ａ：外側磁極平行壁面
６ｂ：内側磁極平行壁面
６０：磁石端空隙
６１：磁石外側端空隙
６２：磁石内側端空隙
６３：空隙外側壁面
６５：空隙内側壁面
９：磁石押え突部
【図１】
2012080608.tif 000003
【図２】
2012080608.tif 000004
【図３】
2012080608.tif 000005
【図４】
2012080608.tif 000006
【図５】
2012080608.tif 000007
【図６】
2012080608.tif 000008